(57)【要約】      （修正有）【課題】推進施工において、地中から推進埋設されてくる掘進機や推進管を安全に到達させるための、到達坑口設備の止水ゴム締付装置を提供する。【解決手段】推進管外径に合わせて弧状に加工し、少なくとも２以上に分割して掘進機１の全周を覆って両端部が所定の長さで重なるように配置した環状押え材１０と、分割した環状押え材１０の両端部に山形状のフランジが向かい合うように固設した伸縮金具と、各支持材のフランジを移動可能に緊結した締付手段９とにより構成される止水ゴム締付装置を、掘進機１が到達坑口設備２の止水ゴム４の挿通孔より到達側に突出した状態で、止水ゴム４上より掘進機１の全周を覆うように環状押え材１０を環設し、環状押え材１０の端部の各支持材に緊結した締付手段９により絞り込むことで、掘進機１と止水ゴム４の全周を均等に密着させる。【選択図】図１
2014101648.tif 000002
【特許請求の範囲】
【請求項１】
推進管の外径よりも大きな径を有する円筒状の円筒体と、前記円筒体の後端全周に固設するリング状の止水ゴム取付金具と、前記止水ゴム取付金具の背面に固定する止水ゴム取付金具の外径と略同径で中央に推進管の外径よりも小さな挿通孔を有する止水ゴムより成る到達坑口設備において、
推進管外径に合わせて弧状に加工し、少なくとも２以上に分割して掘進機の全周を覆って両端部が所定の長さで重なるように配置した環状押え材と、分割した前記環状押え材の両端部には山形状のフランジが向かい合うように固設した支持材と、前記各支持材のフランジを移動可能に緊結した締付手段とにより構成される止水ゴム締付装置を、掘進機が前記止水ゴムの挿通孔より到達側に突出した状態で、前記止水ゴム上より掘進機の全周を覆うように環状押え材を環設し、前記環状押え材の端部の各支持材に緊結した締付手段により絞り込むことで、掘進機と止水ゴムの全周を均等に密着させることを特徴とする止水ゴム締付装置。
【発明の詳細な説明】
【技術分野】
【０００１】
本発明は、地中に上下水道管・電信管等を順次接続して敷設していく推進工法において、掘進機や推進管を安全に到達させるための到達坑口設備の止水ゴムの締付装置に関するものである。
【背景技術】
【０００２】
推進施工において、地中から推進埋設されてくる掘進機や推進管を到達立坑で迎える場合には、到達立坑の土留壁に掘進機や推進管の外径よりも大きな孔を開けて、掘進機や推進管を到達立坑内に押し出す方法が用いられている。
【０００３】
この時、土留壁に開けた孔と掘進機との隙間から土砂や地下水が掘進機の前進と共に押し出され、到達立坑内に流出する。このため、推進管の外径よりもやや大きな径を有する円筒体と、前記円筒体の後端全周に固設するリング状の止水ゴム取付金具と、前記止水ゴム取付金具の背面に固定する止水ゴム取付金具の外径と略同径で中央に推進管の外径よりも小さな挿通孔を有した止水ゴムとにより構成される到達坑口設備を、到達立坑の前面の土留壁に固定して到達させる方法が考案された。しかしながら、土圧や水圧によって止水ゴムがめくり上げられ、土砂や地下水が到達立坑内に噴発することが再々発生するため、止水ゴムの外周壁面をワイヤ−等の緊結材で締め付けてめくり上げを防止する方法が採用されている。
【０００４】
上記の改良技術より、通常の土質条件下では土砂や地下水は遮断されて到達立坑内に噴発することはなくなった。しかし、軟弱な土質や地下水圧の高い土質条件では、大きな土圧や水圧が止水ゴムの内周面に作用するため、止水ゴムを円周方向にワイヤ−で締め付け、リンクさせた端部をワイヤ−クリップで固定するが、ワイヤ−クリップ部分ではたるみが生じるために、土砂や地下水の噴発を押さえることが困難となる。このため、止水ゴムの外周面の中間部をリング状に環設するワイヤ−と止水ゴムの外周面の端部に掘進外径と略同径の止水バンドを環設して、土砂や地下水の噴発を防止する到達坑口設備が開発されている。
【０００５】
前記した到達坑口設備により、止水ゴムの外周面の中間部はワイヤ−によって締め付けられ、端部は止水バンドによって掘進機や推進管の外周面を２箇所で締め付けて当接しており、土圧や水圧による止水ゴムの膨張やめくれはなくなった。しかしながら、止水ゴムの外周面の端部に環設する止水バンドは、掘進機を挿通させるためには掘進機外径よりも少し余裕を持った内径で製作されており、高水圧の施工条件では止水バンド部分の止水ゴムが水圧で持ち上げられ、地下水の流入が止まらないという問題が発生していた。
【特許文献１】特開２００３−２４７３９０号公報
【発明の開示】
【発明が解決しようとする課題】
【０００６】
このため、発明が解決しようとする課題は、推進施工において掘進機の到達を、安全で効率よく確実に回収できる止水ゴム締付装置を提供するものである。
【課題を解決するための手段】
【０００７】
本発明は、推進管の外径よりも大きな径を有する円筒状の円筒体と、前記円筒体の後端全周に固設するリング状の止水ゴム取付金具と、前記止水ゴム取付金具の背面に固定する止水ゴム取付金具の外径と略同径で中央に推進管の外径よりも小さな挿通孔を有する止水ゴムより成る到達坑口設備において、
推進管外径に合わせて弧状に加工し、少なくとも２以上に分割して掘進機の全周を覆って両端部が所定の長さで重なるように配置した環状押え材と、分割した前記環状押え材の両端部に山形状のフランジが向かい合うように固設した伸縮金具と、前記各支持材のフランジを移動可能に緊結した締付手段とにより構成される止水ゴム締付装置を、掘進機が前記止水ゴムの挿通孔より到達側に突出した状態で、前記止水ゴム上より掘進機の全周を覆うように環状押え材を環設し、前記環状押え材の端部の各支持材に緊結した締付手段により絞り込むことで、掘進機と止水ゴムの全周を均等に密着させる止水ゴム締付装置である。
【０００８】
円筒体は、一般に鋼材が用いられ、推進方向に一定の長さを持っている。前記円筒体の前面は、到達立坑の土留壁である鋼矢板等に溶接等により固設される。円筒体の後端には、止水ゴムを設置するために全周にフランジが設置されている。円筒体の外周には、土圧や水圧に対して対応させるために、全周にコンクリ−トを打設して水密性を向上させる。
【０００９】
止水ゴムとしては、一般に天然ゴム材や合成ゴム材が用いられ、前記止水ゴム取付金具の外径と略同径の円形板からなり、中央部には推進管の外径よりも小さな挿通孔が設けられている。止水ゴムの外側円周部分には、止水ゴム取付金具のボルト位置に合わせてボルト孔が設けられ、そのボルトに嵌め込むことによって、後方から保持リングによって固定される。
【００１０】
環状押え材は、前記止水ゴムの表面に密着しやすくするために、一般に丸鋼材が使用される。環状押え材の端部に固設する山形状の支持材の各フランジ部の中央には丸孔が開けられている。締付手段としては、対向する前記両フランジが環状押え材と平行な方向に移動可能な構造であればよく、両フランジの間隔よりも長い締付ボルトと締付ナットにより緊結する方法等が採用される。環状押え材と止水ゴムとの密着は、前記締付ナットを締め付けることにより行われる。
【発明の効果】
【００１１】
本発明の止水ゴム締付装置は、掘進機が到達坑口設備の止水ゴムの挿通孔より到達側に突出した時、止水ゴムの外周面上から分割した環状押え材を環設し、両端面の締付手段で緊結する構造となっている。締付手段は対向する支持材のフランジの丸孔を貫通させた締付ボルトの締付ナットを前後進させることによって、環状押え材と止水ゴムの密着度を調整する。支持材は環状押え材の上部に固設した形状で、締め付けが行われるため環状押え材の端部も止水ゴムに密着した状態で円周方向に移動が可能となり、全周に均等な締め付けが行える。
【発明を実施するための最良の形態】
【００１２】
推進施工において、到達立坑に到達した掘進機及び推進管の外周面を、到達坑口設備の止水ゴムと全周均等に密着させて、掘進機及び推進管を安全で確実に到達立坑内に回収させる止水ゴム締付装置を実現した。
【実施例１】
【００１３】
図１は、本発明の止水ゴム締付装置の設置状況を説明する断面図である。到達坑口設備２は、推進管の外径よりも大きな径を有する円筒状の円筒体３と、前記円筒体３の後端のフランジ部には円周方向に配置したボルト・ナット６によって固設されたリング状の止水ゴム取付金具５と、前記止水ゴム取付金具５の前面にボルト・ナット６によって固設され、止水ゴム取付金具５の外径と略同径で中央に推進管の外径よりも小さな挿通孔を有する止水ゴム４とにより構成される。到達坑口設備２の円筒体３の先端は、到達立坑の土留壁１４の所定の位置に固設されている。また、円筒体３の外周には、水密性を保つために、全周にコンクリ−ト７を打設する。この状態で、掘進機１が前記止水ゴム４の挿通孔より到達立坑側に突出した時、止水ゴム４の上より推進管外径に合わせて弧状に加工し、少なくとも２以上に分割して掘進機１の全周を覆って両端部が所定の長さで重なるように配置した環状押え材１０と、分割した前記環状押え材の両端部には山形状のフランジが向かい合うように固設した支持材１１と、前記各支持材のフランジを移動可能に緊結した締付手段９とにより構成される止水ゴム締付装置８で、止水ゴム４の全周を環設する。そして、前記締付手段９を徐々に絞り込むことよって、止水ゴム４を掘進機１の外周面に均等に密着させる。
【００１４】
図２は、本発明の止水ゴム締付装置の設置状況を説明する正面図である。掘進機１（図示省略）が、止水ゴム４より突出すると、３分割した環状鋼材１０の端部の３箇所を締付手段９によって環設されている。本実施例では、環状鋼材１０を３分割で提示したが、掘進機１の外周にかかる締付力が均等となるように、推進管の大きさによって分割数を増減させることができる。また、環状鋼材１０に用いられる丸鋼材の径は、推進管径や土圧、水圧の大きさによって事前に検討を行って変化させる。
【００１５】
図３は、本発明の止水ゴム締付装置の締付手段を詳細に説明する側面図である。止水ゴム締付装置８は、環状押え材１０の両端部が所定の長さで重なるように配置されている。各環状押え材１０の端部には、山形状の支持材１１のフランジが向かい合うように所定の間隔を置いて固設され、前記両フランジを締付手段９によって緊結した構造となっている。
【００１６】
締付手段９は、環状押え材１０方向に伸縮可能な機能を有していれば良く、一実施例としては全長をネジ切りした長尺の締付ボルト１２を、両支持材１１のフランジ孔に貫通し、両フランジに締付ナット１３を通して成るネジ方式等が用いられる。
【００１７】
図４は、本発明の止水ゴム締付装置の締付手段を詳細に説明する平面図である。環状押え材１０の端部は、互いに隣接させて所定の長さで重なるように配置され、各環状押え材１０の端部には両支持材１１のフランジが向かい合うように所定の間隔を置いて固設されている。前記両フランジを緊結する締付手段９は、両フランジの間隔よりも長い締付ボルト１２を、両フランジを貫通させて嵌設し、両フランジ部分に締付ナット１３を設置した構成となっている。
【００１８】
左側の支持材１１は、２本の環状押え材１０上に乗るように設置され、下側の環状押え材１０の上部に固設され、上側の環状押え材１０の上部は自由に移動可能な構造となっている。また、右側の支持材１１も、２本の環状押え材１０上に乗るように設置され、上側の環状押え材１０の上部に固設され、下側の環状押え材１０の上部は自由に移動可能な構造となっている。この構造により、片側づつを交互に締め付けることで、各環状押え材１０の端部を確実に締め付けることが可能となる。
【００１９】
以上のように、本発明の止水ゴム締付装置により、掘進機及び推進管の全周に嵌設した環状押え材により、前記環状押え材の端部も止水ゴムに密着した状態で均等な締め付けが行え、高水圧下や土被りの大きな推進施工に適用できる。
【図面の簡単な説明】
【００２０】
【図１】本発明の止水ゴム締付装置の設置状況を説明する断面図である。
【図２】本発明の止水ゴム締付装置の設置状況を説明する正面図である。
【図３】本発明の止水ゴム締付装置の締付手段を詳細に説明する側面図である。
【図４】本発明の止水ゴム締付装置の締付手段を詳細に説明する平面図である。
【符号の説明】
【００２１】
１    掘進機
２    到達坑口設備
３    円筒体
４    止水ゴム
５    止水ゴム取付金具
６    ボルト・ナット
７    コンクリ−ト
８    止水ゴム締付装置
９    締付手段
１０    環状押え材
１１    支持材
１２    締付ボルト
１３    締付ナット
１４    土留壁
【図１】
2014101648.tif 000003
【図２】
2014101648.tif 000004
【図３】
2014101648.tif 000005
【図４】
2014101648.tif 000006